(57)【要約】【課題】  発泡倍率の高い梱包用緩衝部材を使用する際、前記被梱包体の重量が大きく且つ前記梱包用緩衝部材との接触面積が小さい場合であっても、前記梱包用緩衝部材が変形または損傷するのを防止すること。【構成】  被梱包体を支持する梱包用板状部材の下面が接合状態で着脱可能に載置される板状部材装着面を有し、発泡樹脂成形品により形成された梱包用緩衝部材本体と、前記梱包用緩衝部材本体よりも硬い材料により構成された前記梱包用板状部材であって、前記被梱包体を支持する被梱包体支持面が上面に形成された前記梱包用板状部材とを備えた梱包用緩衝部材。【選択図】図１
2005289460.tif 000002
【特許請求の範囲】
【請求項１】
下記の構成要件（Ａ01），（Ａ02）を備えた梱包用緩衝部材、
（Ａ01）被梱包体を支持する梱包用板状部材の下面が接合状態で装着される板状部材装着面を有し、発泡樹脂成形品により形成された梱包用緩衝部材本体、
（Ａ02）前記梱包用緩衝部材本体よりも硬い材料により構成された前記梱包用板状部材であって、前記被梱包体を支持する被梱包体支持面が上面に形成された前記梱包用板状部材。
【請求項２】
下記の構成要件（Ａ03）を備えた請求項１記載の梱包用緩衝部材、
（Ａ03）前記板状部材装着面および前記梱包用板状部材の下面の一方の面に設けた嵌合凹部と他方の面に設けた嵌合凸部とが嵌合、離脱可能に形成された前記板状部材装着面および前記梱包用板状部材の下面。
【請求項３】
下記の構成要件（Ａ04）を備えた請求項１または２記載の梱包用緩衝部材、
（Ａ04）発泡樹脂、樹脂、段ボール、板紙または紙系積層材のいずれかにより構成された前記梱包用板状部材。
【発明の詳細な説明】
【技術分野】
【０００１】
本発明は、事務用製品、家電製品、精密機器などの被梱包体を梱包する際に使用される梱包用緩衝部材に関し、特に、重量が大きい被梱包体の下面に形成される被支持面（梱包用緩衝部材に支持される面）の面積が小さいため、前記小さな被支持面を支持する梱包用緩衝部材の支持面に大きな集中荷重が加わる場合に好適に使用される梱包用緩衝部材に関する。
【背景技術】
【０００２】
被梱包体を外部からの衝撃より保護するため、輸送条件や被梱包体の質量、製品強度などの条件より、梱包用緩衝部材の材質、厚さ、緩衝受け面積について必要量を算出しているが、被梱包体の一部分に突起部が付いていたり、空洞部や薄肉部を有する形状の場合、必要な緩衝受け面積を均一に得ることができない場合がある。そのような場合、梱包用緩衝部材となる発泡樹脂成形品の一部分を異なる発泡倍率に成形したり、一部分を別材質の成形品に置き換えることで必要な緩衝面積を確保している。
【０００３】
前記梱包用緩衝部材としては、下記の技術が従来公知である。
（特許文献１：特開平０８−１５１０７８号公報）
特許文献１には、被梱包体を梱包箱の内部に緩衝支持する梱包用緩衝部材であって、梱包箱内に配置される一対のブロック状の緩衝材本体を、前記一対の緩衝材本体に両端部が嵌合する板状連結部材により連結した梱包用緩衝部材が記載されている。
この特許文献１記載の技術は、緩衝材本体と連結材とを接着剤を用いることなく、簡単に組み立てたり分解することができると共に供給時や回収時の輸送を効率的に行うことができて、リサイクルを容易とし地球環境保護に最適な梱包用緩衝材を提供することができる。
【０００４】
（特許文献２：特開平２００２−１３７２４５号公報）
特許文献２には、発泡樹脂材料の発泡倍率が異なる部分を含む発泡樹脂成形品が記載されている。成形体の補強部分を低発泡倍率で発泡成形している。
（特許文献３：特開平０６−０２２９２９号公報）
特許文献３には、異なる発泡倍率を有する複数の原料の異なる発泡材料を用い、蒸気などの加熱媒体により加熱膨張させて発泡成形品を製造する異種原料同時発泡成形法が記載されている。
（特許文献４：特開平２０００−３３４７６３号公報）
特許文献４には、異なる発泡倍率を有する複数の発泡材料を用いることなしに部分的に発泡倍率を変化させた緩衝材に用いる発泡成形品の製造方法が記載されている。
【０００５】
【特許文献１】特開平０８−１５１０７８号公報
【特許文献２】特開平２００２−１３７２４５号公報
【特許文献３】特開平０６−０２２９２９号公報
【特許文献４】特開平２００２−３３４７６３号公報
【発明の開示】
【発明が解決しようとする課題】
【０００６】
（前記特許文献１記載の技術の問題点）
特許文献１記載の技術では、重量の大きな被梱包体の下面を支持する梱包用緩衝部材としては使用できない。
（前記特許文献２〜４記載の技術の問題点）
特許文献２〜４記載の技術では、同一面内で部分的に緩衝部材の材質が異なると外部からの衝撃が受け面全域に加わる場合に、異なる材質特性により緩衝部材の歪量が異なる事から被梱包体に不均一な衝撃応答応力を発生させることとなり、被梱包体の筐体を損傷させることになる。また、部分的に発泡倍率が異なる発泡成形品を成形するには型が複雑になり、コスト高となる。
【０００７】
また、発泡倍率の低い部分と高い部分とを同時成形する場合には、発泡倍率の低い部分に対する高い部分の発泡倍率の比（発泡倍率比）を余り大きくすることができない。同一材料を使用する同時発泡成形の場合の前記発泡倍率比は１.５くらいにしかならない。この場合、重量が大きい被梱包物体の下面と、前記緩衝部材の被梱包体支持面との接触面積が小さい場合には、被梱包体支持面を硬く形成するために発泡倍率を低くすると、前記被梱包体支持面以外の部分の緩衝部材の発泡倍率も低くなってしまう。すなわち、緩衝部材全体の発泡倍率が低くなるので、緩衝部材の材料の消費量が多くなって、コスト高となってしまう。
さらに、梱包用緩衝部材の被梱包体支持面との接触面積が小さく重量が大きい被梱包体を、前記被梱包体支持面で支持する場合、低コストの発泡倍率が高い材料で前記被梱包体支持面を形成すると、被梱包体支持面が凹んだり、陥没したりすることにより変形または損傷してしまう。この場合、前記重量の大きい被梱包体は傾斜するため、梱包作業や輸送作業に支障をきたすという問題点もある。
【０００８】
本発明は前記事情に鑑み、次の記載内容（Ｏ01），（Ｏ02）を技術的課題とする。
（Ｏ01）発泡倍率の高い梱包用緩衝部材を使用する際、前記被梱包体の重量が大きく且つ前記梱包用緩衝部材との接触面積が小さい場合であっても、前記梱包用緩衝部材が大きく変形したりまたは損傷したりするのを防止すること。
（Ｏ02）梱包用緩衝部材との接触面積が小さく重量の大きい被梱包体を梱包した際に大きく変形したり、損傷したりしない低コストの梱包用緩衝部材を提供すること。
【課題を解決するための手段】
【０００９】
次に、前記課題を解決するために案出した本発明を説明するが、本発明の構成要素には、後述の実施例の構成要素との対応を容易にするため、実施例の構成要素の符号をカッコで囲んだものを付記する。
なお、本発明を後述の実施例の符号と対応させて説明する理由は、本発明の理解を容易にするためであり、本発明の範囲を実施例に限定するためではない。
【００１０】
（本発明）
前記課題を解決するために本発明の梱包用緩衝部材は、下記の構成要件（Ａ01），（Ａ02）を備えたことを特徴とする。
（Ａ01）被梱包体（Ｕ）を支持する梱包用板状部材（１３，２３）の下面が接合状態で装着される板状部材装着面（１２ａ，２２ａ）を有し、発泡樹脂成形品により形成された梱包用緩衝部材本体（１２，２２）、
（Ａ02）前記梱包用緩衝部材本体（１２，２２）よりも硬い材料により構成された前記梱包用板状部材（１３，２３）であって、前記被梱包体（Ｕ）を支持する被梱包体支持面が上面に形成された前記梱包用板状部材（１３，２３）。
【００１１】
（本発明の作用）
前記構成要件（Ａ01），（Ａ02）を備えた本発明の梱包用緩衝部材では、発泡樹脂成形品により形成された梱包用緩衝部材本体（１２，２２）の板状部材装着面（１２ａ，２２ａ）には、被梱包体（Ｕ）を支持する梱包用板状部材（１３，２３）の下面が接合状態で装着される。前記梱包用緩衝部材本体（１２，２２）よりも硬い材料により構成された前記梱包用板状部材（１３，２３）は、その上面に形成された被梱包体支持面により被梱包体（Ｕ）を支持する。
前記梱包用板状部材（１３，２３）は、梱包用緩衝部材本体（１２，２２）よりも硬い材料により構成されるので、その上面に形成された被梱包体支持面に載置された被梱包体（Ｕ）の重量が大きく且つ前記被梱包体（Ｕ）と前記被梱包体支持面との接触面積が小さい場合であっても、被梱包体支持面が凹んだり、陥没したりし難くい。また、被梱包体（Ｕ）の大きな重量または輸送時等に被梱包体（Ｕ）に作用する衝撃等は、前記梱包用緩衝部材本体（１２，２２）よりも硬い前記梱包用板状部材（１３，２３）材料から前記梱包用緩衝部材本体（１２，２２）の板状部材装着面（１２ａ，２２ａ）の広い面積部分に分散して伝達される。このため、前記梱包用緩衝部材本体（１２，２２）は発泡倍率の高い材料により構成しても、梱包用緩衝部材本体（１２，２２）の板状部材装着面（１２ａ，２２ａ）が凹んだり、陥没したりし難くい。
このため、梱包用緩衝部材本体（１２，２２）の変形または損傷を防止することができるので、被梱包体（Ｕ）に不均一な応力が発生することを抑制することができる。
【００１２】
（本発明の形態１）
本発明の形態１の梱包用緩衝部材は、前記本発明において、下記の構成要件（Ａ03）を備えたことを特徴とする。
（Ａ03）前記板状部材装着面（１２ａ，２２ａ）および前記梱包用板状部材（１３，２３）の下面の一方の面に設けた凹部（１２ｂ，２２ｂ）と他方の面に設けた凸部（１３ｂ，２３ｂ）とが嵌合、離脱可能に形成された前記板状部材装着面（１２ａ，２２ａ）および前記梱包用板状部材（１３，２３）の下面。
（本発明の形態１の作用）
前記構成要件（Ａ03）を備えた本発明の形態１の梱包用緩衝部材では、前記板状部材装着面（１２ａ，２２ａ）および前記梱包用板状部材（１３，２３）の下面の一方の面に設けた凹部（１２ｂ，２２ｂ）と他方の面に設けた凸部（１３ｂ，２３ｂ）とが嵌合、離脱可能に形成されているので、前記板状部材装着面（１２ａ，２２ａ）および前記梱包用板状部材（１３，２３）の下面を位置決めした状態で容易に装着することができる。したがって、装着時の位置決ずれと、衝撃緩衝時の梱包用板状部材（１３，２３）の位置ずれとを防止することができる。
【００１３】
（本発明の形態２）
本発明の形態２の梱包用緩衝部材は、前記本発明または本発明の形態１において、下記の構成要件（Ａ04）を備えたことを特徴とする。
（Ａ04）発泡樹脂、樹脂、段ボール、板紙または紙系積層材のいずれかにより構成された前記梱包用板状部材（１３，２３）。
（本発明の形態２の作用）
前記構成要件（Ａ04）を備えた本発明の形態２の梱包用緩衝部材では、前記梱包用板状部材（１３，２３）としては、発泡樹脂、樹脂、段ボール、板紙または紙系積層材等の低コストの材料を使用することができるので、低コストの梱包用緩衝部材（１１，２１）を提供することが可能である。
【発明の効果】
【００１４】
前述の本発明の梱包用板状部材は、下記の効果（Ｅ01），（Ｅ02）を奏する。
（Ｅ01）発泡倍率の高い梱包用緩衝部材を使用する際、前記被梱包体の重量が大きく且つ前記梱包用緩衝部材との接触面積が小さい場合であっても、前記梱包用緩衝部材が大きく変形したりまたは損傷したりするのを防止することができる。
（Ｅ02）梱包用緩衝部材との接触面積が小さく重量の大きい被梱包体を梱包した際に大きく変形したり、損傷したりしない低コストの梱包用緩衝部材を提供することができる。
【発明を実施するための最良の形態】
【００１５】
次に図面を参照しながら、本発明の梱包用板状部材を説明するが、本発明は以下の実施例に限定されるものではない。
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００１６】
図１は本発明の実施例１の梱包用緩衝部材と前記梱包用緩衝部材により梱包される被梱包体としての画像形成装置とを示す斜視図である。
図１において、被梱包体としての画像形成装置(デジタル複合機)Ｕは、ＦＡＸ、プリンタ、スキャナおよび複写機としての機能を備えている。画像形成装置Ｕは、ＩＯＴ（イメージアウトプットターミナル、即ち、画像記録装置）、ＩＩＴ（イメージインプットターミナル、すなわち画像読取装置）を有している。
前記ＩＩＴの上面には、カバーＵ１が、その後端部（−Ｘ端部）に設けた左右方向に延びるヒンジ軸（図示せず）によりプラテンガラス（図示せず）上面に対して回動可能に支持されており、原稿を作業者が手でプラテンガラス上に置く場合に上方に回動される。
また、前記ＩＩＴの前部(Ｘ部)には、コピースタートや複写枚数等をユーザが入力するためのユーザインタフェースＵＩが支持されている。
【００１７】
前記ＩＯＴ上面には上方のＩＩＴとの間にシート排出トレイＴＲｈが設けられている。前記シート排出トレイＴＲｈの左端部上方には、シート排出トレイＴＲｈにシートを排出する排出ローラＲ１が配置されている。
また、ＩＯＴの下部には、給紙される画像記録用のシートを収容する複数の給紙トレイＴＲ１、ＴＲ２が、前後方向に挿抜可能に支持されている。また、ＩＯＴの左側部には、手差しで給紙されるシートが支持される手差しトレイＴＲ０が支持されている。
【００１８】
図２は前記図１に示す梱包用緩衝部材の要部の説明図である。
図３は前記図２に示す第１梱包用板状部材の説明図で、図３Ａは斜視図、図３Ｂは平面図、図３Ｃは側面図である。
図４は前記図２に示す第２梱包用板状部材の説明図で、図４Ａは斜視図、図４Ｂは平面図、図４Ｃは側面図である。
図１〜図４において、梱包用緩衝材１は、第１緩衝部材１１、第２緩衝部材２１、第３緩衝部材３１、および第４緩衝部材４１を有している。
図２において、第１緩衝部材１１は第１緩衝部材本体１２と第１梱包用板状部材１３とを有している。第１緩衝部材本体１２は、発泡ビーズ成形等の通常の成形法により金型を用いて５０倍程度の発泡倍率にて成形されたものであり、緩衝部位となる板状部材装着面１２ａを有している。前記板状部材装着面１２ａには板状部材嵌合孔（嵌合凹部）１２ｂが形成されている。前記板状部材嵌合孔１２ｂの平面形状は正方形である。
【００１９】
図２、図３において、前記板状部材装着面１２ａに装着される第１梱包用板状部材１３は、発泡ビーズ成形等の通常の成形法により金型を用いて１０倍程度の発泡倍率にて成形されたものであり、長方形の板状部分１３ａとその下面から下方に突出する円柱状の嵌合凸部１３ｂとを有している。前記円柱状の嵌合凸部１３ｂの外径は、前記正方形の板状部材嵌合孔（嵌合凹部）１２ｂの内径に嵌合する大きさに形成されている。
前記第１梱包用板状部材１３を前記第１緩衝部材本体１２の板状部材装着面１２ａに装着する際、前記板状部材装着面１２ａに形成された板状部材嵌合孔（嵌合凹部）１２ｂに梱包用板状部材１３の嵌合凸部１３ｂが嵌合する。このため、板状部材装着面１２ａ上の第１梱包用板状部材１３の位置がずれないようになっている。
【００２０】
図２において、第２緩衝部材２１は第２緩衝部材本体２２と第２梱包用板状部材２３とを有している。第２緩衝部材本体２２は、発泡ビーズ成形等の通常の成形法により金型を用いて５０倍程度の発泡倍率にて成形されたものであり、緩衝部位となる板状部材装着面２２ａを有している。前記板状部材装着面２２ａには板状部材嵌合孔（嵌合凹部）２２ｂが形成されている。前記板状部材嵌合孔２２ｂの平面形状は正方形である。
【００２１】
図２、図４において、前記板状部材装着面２２ａに装着される第２梱包用板状部材２３は、発泡ビーズ成形等の通常の成形法により金型を用いて１０倍程度の発泡倍率にて成形されたものであり、長方形の板状部分２３ａとその下面から下方に突出する円柱状の嵌合凸部２３ｂとを有している。前記長方形の板状部分２３ａの１つの角部は切除されて切除部２３ｃが形成されている。前記円柱状の嵌合凸部２３ｂの外径は前記長方形の板状部材嵌合孔（嵌合凹部）２２ｂの内径に嵌合する大きさに形成されている。
前記第２梱包用板状部材２３を前記第２緩衝部材本体２２の板状部材装着面２２ａに装着する際、前記板状部材装着面２２ａに形成された板状部材嵌合孔（嵌合凹部）２２ｂに梱包用板状部材２３の嵌合凸部２３ｂが嵌合する。このため、板状部材装着面２２ａ上の第２梱包用板状部材２３の位置がずれないようになっている。
【００２２】
図１、図２において、第３緩衝部材３１および第４緩衝部材４１は、発泡ビーズ成形等の通常の成形法により金型を用いて５０倍程度の発泡倍率にて成形されている。この第３緩衝部材３１および第４緩衝部材４１は、画像形成装置（被梱包体）Ｕの左側部分（−Ｙ側部分）よりも軽量な右側部分（Ｙ側部分）を支持するので、前記第１、第２梱包用板状部材１１，２１で使用する梱包用板状部材は使用されない。
なお、前記第３緩衝部材３１および第４緩衝部材４１に被梱包体の大きな重量が加わる場合には、梱包用板状部材を使用することが可能である。
【００２３】
（実施例１の作用）
図１において、前記実施例１の第１〜第４梱包用緩衝部材１１〜４１は、図示しない直方体形状のダンボール紙製の梱包用箱または木の枠体等の底面の４つのコーナに配置して使用される。実施例１で使用される被梱包体としての画像形成装置Ｕは、左側（−Ｙ側）部分の重量が右側部分よりも重く構成されている。このため、被梱包体（画像形成装置）の左側部分（−Ｙ側部分）の下面を支持する梱包用緩衝部材には右側部分（Ｙ側部分）下面を支持する梱包用緩衝部材よりも大きな荷重が加わる。
【００２４】
前記４個の梱包用緩衝部材１１〜４１の中の第１梱包用緩衝部材１１および第２梱包用緩衝部材２１は、被梱包体の左側（−Ｙ側）部分を支持する位置に配置されており、右側（Ｙ側）部分を支持する第３，第４梱包用緩衝部材３１，４１よりも大きな荷重が加わる。
したがって、第１、第２梱包用緩衝部材１１，２１は、梱包用緩衝部材本体１２，２２と、その板状部材装着面１２ａ，２２ａに着脱可能に装着される梱包用板状部材１３，２３とにより構成されるが、第３、第４梱包用緩衝部材３１，４１は、梱包用板状部材が使用されない。
【００２５】
前記梱包用板状部材１３，２３は、梱包用緩衝部材本体１２，２２よりも硬い材料により構成されるので、その上面に形成された被梱包体支持面に載置された被梱包体としての画像形成装置Ｕの重量が大きく且つ前記画像形成装置Ｕと前記被梱包体支持面との接触面積が小さい場合であっても、梱包用板状部材１３，２３の上面に形成された被梱包体支持面が凹んだり、陥没したりし難くい。また、画像形成装置Ｕの大きな重量または輸送時等に画像形成装置に作用する上下方向の衝撃等は、前記梱包用緩衝部材本体１２，２２よりも硬い前記梱包用板状部材１３，２３材料から前記梱包用緩衝部材本体１２，２２の板状部材装着面１２ａ，２２ａの広い面積部分に分散して伝達される。このため、前記梱包用緩衝部材本体１２，２２は発泡倍率の高い材料により構成しても、梱包用緩衝部材本体１２，２２の板状部材装着面１２ａ，２２ａが凹んだり、陥没したりし難くい。
このため、梱包用緩衝部材本体１２，２２の変形または損傷を防止することができるので、画像形成装置Ｕに局所的な大きな応力が発生することを抑制することができる。
【００２６】
前記梱包用緩衝部材本体１２，２２に装着された梱包用板状部材１３，２３により、梱包用緩衝部材本体１２，２２に接触している梱包用板状部材１３，２３の下面の全面積が、緩衝面積となる。このため、梱包用緩衝部材本体１２，２２に加わる荷重が分散されるので、衝撃により画像形成装置（被梱包体）に加わる上下方向の衝撃力を分散して緩和することができる。
外部からの衝撃が被梱包体を支持する梱包用板状部材１３，２３を介して、梱包用緩衝部材本体１２，２２の板状部材装着面１２ａ，２２ａに伝達される。このとき、前記板状部材装着面１２ａ，２２ａの前記梱包用板状部材１３，２３の下面との接触面全体に衝撃力が分散して伝達される。このため、前記接触面全体が均一に歪むことで被梱包体に不均一な応力発生を抑制することができる。
これにより、輸送環境における外部の衝撃から、被梱包体の一部に局所的応力などを発生させることなく、被梱包体の損傷を未然に防止することを可能にする。
【００２７】
また、前記第１、第２の梱包用緩衝部材１１，２１は、前記梱包用緩衝部材本体１２，２２の板状部材装着面１２ａ，２２ａに設けた板状部材嵌合孔（嵌合凹部）１２ｂ，２２ｂと前記梱包用板状部材１３，２３の下面に設けた円柱状の嵌合凸部１３ｂ，２３ｂとが嵌合、離脱可能に形成されているので、前記板状部材装着面１２ａ，２２ａおよび前記梱包用板状部材１３，２３の下面を位置決めした状態で容易に装着することができる。梱包用緩衝部材本体１２，２２の所定位置に梱包用板状部材１３，２３を装着する作業を行う際の作業性を向上させることが可能となる。
したがって、装着時の位置ずれと、衝撃緩衝時の梱包用板状部材１３，２３の位置ずれとを防止することができる。このため、衝撃緩衝時に凹凸部の嵌合により梱包用板状部材１３，２３が梱包用緩衝部材本体１２，２２と分離することなく、輸送時における連続的な衝撃についても、衝撃力を吸収することができる。
【産業上の利用可能性】
【００２８】
（変更例）
（Ｈ01）前記梱包用緩衝部材本体１２，２２の板状部材装着面１２ａ，２２ａに板状部材嵌合孔（嵌合凹部）１２ｂ，２２ｂを設け、前記梱包用板状部材１３，２３の下面に嵌合凸部１３ｂ，２３ｂを設ける代わりに、板状部材装着面１２ａ，２２ａに板状部材嵌合孔（嵌合凸部）を設け、前記梱包用板状部材１３，２３の下面に嵌合凹部を設けることが可能である。
（Ｈ02）第１梱包用緩衝部材本体１２と、その板状部材装着面１２ａに装着される梱包用板状部材１３とは、着脱可能に装着されるように構成する代わりに、装着した状態で接着材等により固着しておくことも可能である。
（Ｈ03）梱包用緩衝部材本体と梱包用板状部材とを有する梱包用緩衝部材は、梱包用箱の底面の４つのコーナ部以外の部分にも配置することが可能である。
【図面の簡単な説明】
【００２９】
【図１】図１は本発明の実施例１の梱包用緩衝部材と前記梱包用緩衝部材により梱包される被梱包体としての画像形成装置とを示す斜視図である。
【図２】図２は前記図１に示す梱包用緩衝部材の要部の説明図である。
【図３】図３は前記図２に示す第１梱包用板状部材の説明図で、図３Ａは斜視図、図３Ｂは平面図、図３Ｃは側面図である。
【図４】図４は前記図２に示す第２梱包用板状部材の説明図で、図４Ａは斜視図、図４Ｂは平面図、図４Ｃは側面図である。
【符号の説明】
【００３０】
Ｕ…被梱包体（画像形成装置）、
１１，２１…梱包用緩衝部材、
１２，２２…梱包用緩衝部材本体、
１２ａ，２２ａ…板状部材装着面、
１３，２３…梱包用板状部材、
１２ｂ，２２ｂ…嵌合凹部、
１３ｂ，２３ｂ…嵌合凸部、
【図１】
2005289460.tif 000003
【図２】
2005289460.tif 000004
【図３】
2005289460.tif 000005
【図４】
2005289460.tif 000006